(57)【要約】【課題】  シール部材を保護する離脱可能なカバーを備えるウェザーストリップを提供する。【解決手段】  パイルウェザーストリップは、支持部材に超音波溶着された糸パイルを有する。具体的には、パイルは、支持部材に対してパイルを直角に指向させるパイルディレクタと称するフランジによって形成されるチャネルの内部に溶着されている。フィルムはパイルのカバーであり、かつフランジの外側に離脱可能に装着されている。カバーフィルムは、フランジの外側に沿ってフランジの頂縁に隣接して配置される複数の穿孔を有することができる。これに替えて、カバーは、パイルと支持部材とを溶着する際に用いられるよりも充分に弱いエネルギーにより、フランジに超音波溶着することができる。例えば、ウェザーストリップが取り付けられたフレームが塗装される際、カバーはパイルを保護する。その後カバーはフランジから引き剥がすことにより離脱され得る。【選択図】      図２
2007309092.tif 000002
【特許請求の範囲】
【請求項１】
パイルディレクタをなす一対のフランジの内側のチャネル内において支持部材上に設けられるシール部材を有するウェザーストリップであって、
前記シール部材を包囲し、かつ前記パイルディレクタの外側でかつその縁部に沿って離脱可能に装着されるフィルム材料からなるカバーを備えるウェザーストリップ。
【請求項２】
前記パイルディレクタの頂縁に隣接するように前記フィルムに設けられた穿孔の列は、前記カバーの離脱可能な装着を提供する請求項１に記載のウェザーストリップ。
【請求項３】
前記シール部材を前記チャネル内において前記支持部材に超音波溶着するよりも充分に低いエネルギーによる弱い超音波溶着によって、前記フィルムが前記パイルディレクタの縁部に沿って該パイルディレクタの外側に離脱可能に装着される請求項１に記載のウェザーストリップ。
【請求項４】
前記フィルムは０．０１３ｍｍ（０．５ミル）〜０．２５４ｍｍ（１０ミル）の厚さに形成される請求項２又は３に記載のウェザーストリップ。
【請求項５】
前記フィルムは、ポリオレフィン、ポリエチレン、またはポリプロピレンを含むプラスチック材料または製織材料よりなる請求項２乃至４の何れか一項に記載のウェザーストリップ。
【発明の詳細な説明】
【技術分野】
【０００１】
本発明はウェザーストリップに関する。詳細には、本発明は、ウェザーストリップを取り付ける際、特にウェザーストリップが取り付けられる開口部製品（窓、ドアなど）のフレームが、ウェザーストリップ領域に塗装される場合において、シール部材を好適に保護することによりシール性を向上させることに関する。
【背景技術】
【０００２】
ウェザーストリップのシール部材として供されるパイルは、支持部材において、チャネル状の壁面を構成するフランジの内側に取り付けられている。このようなフランジはパイルディレクタと称されることがある。このようなウェザーストリップに関しては、ホートン（Ｈｏｒｔｏｎ）に付与された特許文献１，２、ジョーンソン（Ｊｏｈｎｓｏｎ）に付与された特許文献３〜５に記載されている。
【０００３】
背面に接着剤を有する保護カバーまたはマスクは、カーペット、敷居、床板、ガスケットなどを保護するため、特に塗装作業の際に用いられてきた。２００１年４月にエリオット（ｅｌｌｉｏｔｔ）に付与された特許文献６、９７年３月にヘドリック（Ｈｅａｄｒｉｃｋ）らに付与された特許文献７、９６年２月にノーマン（Ｎａｕｍａｎ）に付与された特許文献８、９５年６月にコックス（Ｃｏｘ）らに付与された特許文献９、９３年１１月にシルベッスル（Ｓｉｌｖｅｓｔｒｅ）に付与された特許文献１０、９３年９月にミラー（Ｍｉｌｌｅｒ）に付与された特許文献１１、９２年５月にバレホス（Ｂａｌｌｅｊｏｓ）に付与された特許文献１２、および６８年１２月にフィガロ（Ｆｉｇａｒｏ）に付与された特許文献１３を参照されたい。ウェザーストリップには、糸パイルなどのシール部材によるシールを形成し易くするためにフィン状の材料を有するものもある。７８年３月にリンド（Ｌｉｎｄ）に付与された特許文献１４、および８１年１２月にボイス（Ｂｏｙｃｅ）に付与された特許文献１５を参照されたい。
【特許文献１】米国特許第３，１７５，２５６号
【特許文献２】米国特許第４，１４８，９５３号
【特許文献３】米国特許第５，３３８，３８２号
【特許文献４】米国特許第５，８０７，４５１号
【特許文献５】米国特許第５，８１７，３９０号
【特許文献６】米国特許第６，２１０，４６６号
【特許文献７】米国特許第５，６１１，１７３号
【特許文献８】米国特許第５，４８９，４５９号
【特許文献９】米国特許第５，４２１，９３６号
【特許文献１０】米国特許第５，２６０，０９７号
【特許文献１１】米国特許第５，２４２，７１２号
【特許文献１２】米国特許第５，１０９，７９３号
【特許文献１３】米国特許第３，４１６，９８１号
【特許文献１４】米国特許第４，０７８，１０６号
【特許文献１５】米国特許第４，０３５，９８４号
【発明の開示】
【発明が解決しようとする課題】
【０００４】
本発明の目的は、ウェザーストリップのシール部材として供されるパイルを保護することにあり、ウェザーストリップのパイルディレクタを用いて好適に装着し得る、新規な機能性を有する離脱可能なカバー、すなわち除去可能なカバーを備えるウェザーストリップを提供することにある。
【課題を解決するための手段】
【０００５】
本発明において、上記目的を達成するために、請求項１に記載の発明は、パイルディレクタをなす一対のフランジの内側のチャネル内において支持部材上に設けられるシール部材を有するウェザーストリップであって、前記シール部材を包囲し、かつ前記パイルディレクタの外側でかつその縁部に沿って離脱可能に装着されるフィルム材料からなるカバーを備えるウェザーストリップである。
【０００６】
請求項２に記載の発明は、前記パイルディレクタの頂縁に隣接するように前記フィルムに設けられた穿孔の列は、前記カバーの離脱可能な装着を提供するウェザーストリップである。
【０００７】
請求項３に記載の発明は、前記シール部材を前記チャネル内において前記支持部材に超音波溶着するよりも充分に低いエネルギーによる弱い超音波溶着によって、前記フィルムが前記パイルディレクタの縁部に沿って該パイルディレクタの外側に離脱可能に装着されるウェザーストリップである。
【０００８】
請求項４に記載の発明は、前記フィルムは０．０１３ｍｍ（０．５ミル）〜０．２５４ｍｍ（１０ミル）の厚さに形成されるウェザーストリップである。
請求項５に記載の発明は、前記フィルムは、ポリオレフィン、ポリエチレン、またはポリプロピレンを含むプラスチック材料または製織材料よりなるウェザーストリップである。
【０００９】
本発明の好ましい実施態様において、パイルウェザーストリップは、支持部材ストリップに超音波溶着された糸パイルを有する。具体的には、パイルは、支持部材に対してパイルを直角に指向させるパイルディレクタと称するフランジによって形成されるチャネルの内部に溶着されている。薄い可撓性を有するフィルムはパイルのカバーであり、かつフランジの外側に離脱可能に装着される。フランジの外側に沿ったフィルムの装着部分には、フランジの頂縁に隣接して複数の穿孔を設けることができる。これに代えて、フィルムは、パイルと支持部材とを溶着する際に用いられるよりも充分に弱いエネルギー（熱）によって、フランジに対して弱く超音波溶着して装着することができる。カバーは、例えばウェザーストリップが取り付けられた後に塗装され得るフレームへの取り付け状態において、パイルを保護する。取り付けおよび塗装後、カバーは、パイルディレクタから引き剥がすことにより離脱すなわち除去され得る。
【発明を実施するための最良の形態】
【００１０】
本発明の前述の特徴および利点、ならびに他の特徴および利点を、以下の説明および図面により明らかにする。
図面にはパイルウェザーストリップ（ウェザーシール）を図示する。このパイルウェザーストリップは上記のホートンおよびジョーンソンの特許に従い、パイル１６の上方に保護カバー１２を付設することにより製造し得る。このウェザーストリップはウルトラマスク（ＵＬＴＲＡ  ＭＡＳＫ（商標））ウェザーシールと称される。図３に示すように、カバー１２は薄いプラスチック材料からなるフィルムまたはシートであり、上記のホートンまたはジョーンソンの特許におけるパイルの内側または外側のフィンを形成するのに用いられた材料と類似のものである。カバー１２はパイルディレクタ（フランジ）１４の外側に超音波溶着される。フィルムはパイル１６の上方にループをなして該パイル１６を被覆し、離脱可能なカバーすなわち被覆１２を形成する。
【００１１】
カバーすなわち被覆１２をパイルのシール部材１６の周囲にループ状に配置するとともに、パイルのシール部材１６の付近のパイルディレクタ１４の外側に対して超音波溶着し
た後、パイルディレクタ１４の頂縁の直上の領域に、間隔を置いて配列された複数の穿孔１８の列を設けることができる（図２参照）。離脱可能なカバー１２を有する完成したウェザーストリップは、保管または出荷するための梱包用リールに巻回することができる。
【００１２】
穿孔１８を用いることに代えて、パイルディレクタ１４の外側に低エネルギーを用いた弱い溶着部２０を設けて、フィルムを離脱可能に装着することにより、穿孔の必要を無くすことができる。
【００１３】
ウェザーストリップ１０は、図１に示すように開口部製品（例えば、窓、ドアなど）のフレーム２４のＴ字型溝２２に取り付けることができる。取り付けは人の手によったり、自動挿入装置を用いたり、フレーム製造に使用されるビニル成形押し出し機中においてオンラインで実施されたりする。カバーすなわち被覆１２は組立工程においてシール部材１６を保護する。本発明では、消費者に安価に多くの色彩を提供するように表面の塗装が行われるビニル製の窓にウェザーストリップを適用する際に、シール部材を保護することができる。この窓への塗装は、着色したビニル材料を用いることと比較して安価である。
【００１４】
開口部製品の塗装の際には、パイルウェザーストリップが取り付けられているので、取り付け業者は塗装の前に特別なテープを用いてウェザーストリップをマスクする必要があった。これには極めて人手と時間がかかっていた。組み立て業者はパイルが密生しているウェザーストリップの上に塗料を噴霧して済ませることがあったが、これによりウェザーストリップのシール特性を損なっていた。
【００１５】
組み立て業者が直面していた別の問題は、開口部製品の表面上に塗料粒子を噴霧するために用いる高圧空気がパイル中の繊維を欠落させ、さらにその繊維が塗装された表面を汚染させるという事態を生起させ得ることであった。これらの従来技術による取り付けおよび塗装に関する問題は、本発明により解決される。
【００１６】
固体、フェルト状にしたもの、または紡いだポリプロピレンなどのポリオレフィンであるカバー１２は、上述したように、パイルディレクタ１４の直上に穿孔を有する０．１５２ｍｍ（６ミル）の厚さを有してよいプラスチックフィルムまたはシートであることができる。パイルディレクタの領域における低エネルギー溶着部２０を代替として用いてもよい。いずれの実施態様においても、大部分のビニルまたはアルミニウム押し出し成形において用いられる通常のＴ字型溝２２に取り付けられた後、カバー１２は引き裂くことにより容易に除去される。
【００１７】
カバーすなわち被覆１２は超音波溶着することが好ましいが、従来型の接着剤を用いて接着することもできる。より詳細には、０．０１３ｍｍ（０．５ミル）〜０．２５４ｍｍ（１０ミル）の厚さを有するポリオレフィンからなるシートまたはフィルムをカバーに用いることができるが、他の種類のプラスチックを用いたり、他の種類の製織されたフィルムを用いたりすることもできる。フィルム１２の色彩は実際の製造工程にとって重要ではないが、内部に配置されるシール部材の色彩が取り付けた後でも視認され得るように、透明カバーが最終消費者にとって好ましい。
【図面の簡単な説明】
【００１８】
【図１】窓またはドアのフレームに取り付けられる本発明におけるウェザーストリップの斜視図。
【図２】本発明におけるウェザーストリップの別の実施態様を図示する斜視図。
【図３】本発明におけるウェザーストリップのカバーがウェザーストリップから離脱される工程を図示する斜視図。
【符号の説明】
【００１９】
１０・・・ ウェザーストリップ、１２・・・ 保護カバー、１４・・・ パイルディレ
クタ、１６・・・ シール部材、１８・・・ 穿孔
【図１】
2007309092.tif 000003
【図２】
2007309092.tif 000004
【図３】
2007309092.tif 000005